(57)【要約】【課題】前ケースと後ケースとの隙間からの機器本体ケース内への水の浸入を防止可能なインターホン機器における水抜き構造を提供する。【解決手段】取付枠４内に設けられた台状部１３前面で、且つ、本体ケース５ａを取付枠４に支持させた際、前ケース３側部とフレーム部４ｂ（又は４ｃ）との隙間となる位置に、上下方向へ延びる第１水抜き溝１５を刻設し、毛細管現象を利用して、フレーム部４ｂ（又は４ｃ）との隙間から浸入してきた水を第１水抜き溝１５内へ引き込み、下方へ導いて、最終的には取付枠４外方へ排出可能とした。【選択図】図３
2009147467.tif 000002
【特許請求の範囲】
【請求項１】
前方に開口を有する箱状に形成された後ケースの外周を覆うように、後方に開口を有する箱状に形成された前ケースを組み付け、壁面等の取付対象面に固着される取付枠に対し、前記前ケースの更に外周を前記取付枠に支持させて設置されるインターホン機器における水抜き構造であって、
前記取付枠の内部に、前記前ケースを支持させた際に当該前ケースの側部の後端縁が当接又は近接する台状部を設けるとともに、前記取付枠の底部に水抜き孔を開設し、
さらに、前記台状部の当接又は近接面で、且つ、前記取付枠と前記取付枠に支持された前記前ケースの側部との間となる位置に、上下方向へ延びる第１の水抜き溝を刻設し、
前記取付枠と前記前ケースの側部との隙間から前記取付枠の内部へ浸入した水を、前記第１の水抜き溝によって前記取付枠の底部へ導き、前記水抜き孔を介して前記取付枠の外部へ排出可能としたことを特徴とするインターホン機器における水抜き構造。
【請求項２】
前記台状部の当接又は近接面で、且つ、前記取付枠に支持された前記前ケースの側部と当該前ケースに組み付けられている前記後ケースの側部との間となる位置に、上下方向へ延びる第２の水抜き溝を刻設し、
前記前ケースの側部と前記後ケースの側部との隙間へ浸入した水を、前記第２の水抜き溝によって前記取付枠の底部へ導き、前記水抜き孔を介して前記取付枠の外部へ排出可能としたことを特徴とする請求項１に記載のインターホン機器における水抜き構造。
【請求項３】
前記後ケースの左右側部に左右夫々外方へ張り出す張り出し部を設け、前記後ケースが組み付けられている前記前ケースを前記取付枠に支持させた際、前記張り出し部の後面が前記台状部の前面に当接又は近接することを特徴とする請求項１又は２に記載のインターホン機器における水抜き構造。
【請求項４】
水抜き溝の幅が、対応する隙間の間隔よりも狭く形成されていることを特徴とする請求項１〜３の何れかに記載のインターホン機器における水抜き構造。
【発明の詳細な説明】
【技術分野】
【０００１】
本発明は、たとえば玄関に設置され居住者を呼び出すための玄関子機等のインターホン機器における水抜き構造に関するものである。
【背景技術】
【０００２】
従来、居住者を呼び出すための呼出ボタン等が設けられた子機本体を、取付枠を介して壁面等の取付対象面に設置可能としたインターホン機器としては、種々のものが考案されており、一般的なものとしては、たとえば特許文献１に開示されているようなインターホン機器がある。
【０００３】
特許文献１に開示されているインターホン機器では、前ケースと後ケースとを組み付けて機器本体ケースを構成し、当該機器本体ケースを取付枠に支持させることで取付対象面に設置可能としている。ここで、前ケースは後方に開口を有する箱状に形成されており、同じく箱状（尚、開口は前面に有する）に形成された後ケースの外周面（すなわち、上部、左右側部、及び底部の外面）を覆うように後ケースに組み付けられている。また、機器本体ケースは、前ケースの更に外周面を覆われた状態で取付枠に支持された状態で取付対象面に設置されることになる。
【０００４】
【特許文献１】特開２００７−６７４９０号公報
【発明の開示】
【発明が解決しようとする課題】
【０００５】
しかしながら、特許文献１のインターホン機器では、雨水等が取付枠と前ケースの外周面との隙間へ浸入し、前ケースの後端縁（開口端縁）から前ケース内面側へ回り込んで、最終的に前ケースと後ケースとの隙間から機器本体ケース内へ浸入して各種基板へ到達してしまうおそれがあった。また、雨水等が取付枠と取付対象面との隙間から機器本体ケースの後方へ浸入し、上記同様、前ケースと後ケースとの隙間から機器本体ケース内へ浸入するといった事態も起こり得た。
【０００６】
そこで、本発明は、上記問題に鑑みなされたものであって、前ケースと後ケースとの隙間からの機器本体ケース内への水の浸入を防止可能なインターホン機器における水抜き構造を提供しようとするものである。
【課題を解決するための手段】
【０００７】
上記目的を達成するために、本発明のうち請求項１に記載の発明は、前方に開口を有する箱状に形成された後ケースの外周を覆うように、後方に開口を有する箱状に形成された前ケースを組み付け、壁面等の取付対象面に固着される取付枠に対し、前ケースの更に外周を取付枠に支持させて設置されるインターホン機器における水抜き構造であって、取付枠の内部に、前ケースを支持させた際に当該前ケースの側部の後端縁が当接又は近接する台状部を設けるとともに、取付枠の底部に水抜き孔を開設し、さらに、台状部の当接又は近接面で、且つ、取付枠と取付枠に支持された前ケースの側部との間となる位置に、上下方向へ延びる第１の水抜き溝を刻設し、取付枠と前ケースの側部との隙間から取付枠の内部へ浸入した水を、第１の水抜き溝によって取付枠の底部へ導き、水抜き孔を介して取付枠の外部へ排出可能としたことを特徴とする。
この構成によれば、取付枠の側部と前ケースの側部との隙間から浸入してきた水を、毛細管現象を利用して第１の水抜き溝内へ引き込み、取付枠の底部へ導いて、最終的には水抜き孔を介して取付枠の外部へ排出可能としている。したがって、水が前ケースと後ケースとの隙間から内部へ浸入することを効果的に防止することができる。
【０００８】
請求項２に記載の発明は、請求項１に記載の発明において、台状部の当接又は近接面で、且つ、取付枠に支持された前ケースの側部と当該前ケースに組み付けられている後ケースの側部との間となる位置に、上下方向へ延びる第２の水抜き溝を刻設し、前ケースの側部と後ケースの側部との隙間へ浸入した水を、第２の水抜き溝によって取付枠の底部へ導き、水抜き孔を介して取付枠の外部へ排出可能としたことを特徴とする。
この構成によれば、第１の水抜き溝を越えて前ケースの後端縁を前ケース内面側へ回り込む等して前ケース側部と後ケース側部との隙間へ浸入してきた水を、毛細管現象を利用して第２の水抜き溝内へ引き込み、取付枠の底部へ導いて、最終的には水抜き孔を介して取付枠の外部へ排出可能としている。したがって、水の浸入防止機能を更に向上することができる。
【０００９】
請求項３に記載の発明は、請求項２に記載の発明において、後ケースの左右側部に左右夫々外方へ張り出す張り出し部を設け、後ケースが組み付けられている前ケースを取付枠に支持させた際、張り出し部の後面が台状部の前面に当接又は近接することを特徴とする。
この構成によれば、取付枠と取付対象面との隙間から後ケースの更に後方空間へ浸入した水が前ケース側部と後ケース側部との隙間へ浸入する事態を抑止することができる。したがって、水の浸入防止機能の一層の向上を期待することができる。
【００１０】
請求項４に記載の発明は、請求項１〜３の何れかに記載の発明において、水抜き溝の幅が、対応する隙間の間隔よりも狭く形成されていることを特徴とする。
この構成によれば、毛細管現象を利用した水抜き溝内への水の引き込み作用を向上させることができ、より効果的な水抜きを実現することができる。
【発明の効果】
【００１１】
本発明によれば、取付枠の側部と前ケースの側部との隙間から浸入してきた水を、毛細管現象を利用して第１の水抜き溝内へ引き込み、取付枠の底部へ導いて、最終的には水抜き孔を介して取付枠の外部へ排出することができ、インターホン機器の防水性を向上することができる。
【発明を実施するための最良の形態】
【００１２】
以下、本発明の一実施形態となるインターホン機器における水抜き構造について、図面にもとづき説明する。
【００１３】
図１は、インターホン機器１を示した斜視説明図である。また、図２は、インターホン機器１の断面（呼出ボタン２部分での左右方向への断面）を示した説明図であり、図３は、図２におけるＡ部を拡大して示した説明図である。さらに、図４は、取付枠４全体の外観を示した斜視説明図であり、図５は、取付枠４の一部分を拡大して示した斜視説明図である。
【００１４】
インターホン機器１（本実施形態では玄関子機）は、機器本体５と、当該機器本体５を取付対象面（たとえば壁面）に設置するための取付枠４とからなる。機器本体５は、居室親機を呼び出すための呼出ボタン２、図示しないカメラを有するカメラ部６、居室親機との間で通話するためのマイク部７及びスピーカ部８等を備え、当該カメラ部６やマイク部７等を構成する各種基板（図示せず）を、後述の如き前ケース３と後ケース９とを組み付けてなる本体ケース５ａ内に収納してなるものである。尚、１０は、前ケース３の前面に取り付けられる化粧板である。
【００１５】
後ケース９は、前面に開口を有する箱状体であって、該後ケース９内の左右両側及び上側には、後ケース９の側部又は上部と略同程度の突出量を有する防水壁１１が、側部又は上部から所定の間隔を有して突設されている。また、後ケース９の左右両側部には、夫々左右外方へ張り出された張り出し部１２が設けられており、本体ケース５ａを取付枠４に支持させた際、当該張り出し部１２の後面が後述する取付枠４の台状部１３前面に当接するようにしている。
【００１６】
前ケース３は、後面に開口を有する箱状体であって、後ケース９よりも一回り大きく成形されており、後ケース９の外周面（上部、左右側部、及び下部の外面）を覆った状態で後ケース９を組み付け可能となっている。また、前ケース３内の左右両側及び上側には、前ケース３の側部又は上部と略同程度の突出量を有するラビリンス壁１４が、側部又は上部から所定の間隔を有して突設されており、後ケース９との組み付け時において、当該ラビリンス壁１４が後ケース９の側部又は上部と防水壁１１との間に嵌入し、水の浸入防止を図るためのラビリンス部が形成されるようになっている。尚、前ケース３は、開口縁、すなわち後端縁が、後ケース９との組み付け状態において後ケース９の張り出し部１２の後面と略同一平面に位置し、本体ケース５ａを取付枠４に支持させた際、後端縁が台状部１３前面に当接するように形成されている。
【００１７】
一方、取付枠４は、中央に開口を有し、上下左右に設けられた板状のフレーム部４ａ、４ｂ、４ｃ、４ｄを一連としてなる枠状部材であって、前ケース３よりも一回り大きく成形されており、開口内に前ケース３を嵌め込んだ状態、すなわちフレーム部４ａ〜４ｄにより前ケース３の外周面を覆った状態で本体ケース５ａを支持可能となっている。当該取付枠４の左右のフレーム部４ｂ、４ｃ内側には、幅５ｍｍ程度の台状部１３がフレーム部４ｂ、４ｃ内面から左右夫々内方へ突設されており、本体ケース５ａを支持した際、該台状部１３の前面に前ケース３側部の後端縁及び後ケース９の張り出し部１２の後面が当接するようになっている。また、各台状部１３の前面には、上下方向へ延びる一対の水抜き溝（第１水抜き溝１５及び第２水抜き溝１６）が刻設されている。さらに、下方のフレーム部４ｄには、取付枠４内に浸入してきた水を取付枠４外方へ排出するための切り欠き１７、１７・・が設けられている。
【００１８】
第１水抜き溝１５は、左右幅０．５ｍｍ、深さ０．３ｍｍとなっており、各台状部１３前面のフレーム部４ｂ、４ｃ際の上部から下部にわたって直線状に設けられている。当該第１水抜き溝１５は、本体ケース５ａを取付枠４に支持させた際、前ケース３側部とフレーム部４ｂ（又は４ｃ）との隙間に位置するようになっている。尚、第１水抜き溝１５の左右幅と前ケース３及びフレーム部４ｂの隙間の間隔とは略同じ幅とされている。
【００１９】
第２水抜き溝１６は、第１水抜き溝１５同様、左右幅ΔＷ０．５ｍｍ、深さ０．３ｍｍに形成されており、台状部１３前面において第１水抜き溝１５よりも夫々左右内方で上部から下部にわたり直線状に設けられている。また、当該第２水抜き溝１６は、本体ケース５ａを取付枠４に支持させた際、前ケース３側部と後ケース９側部との隙間に位置するように設けられているとともに、その左右幅ΔＷが前ケース３側部と後ケース９側部との隙間の間隔ΔＳよりも狭くされている。
【００２０】
ここで、上述したような構成を有するインターホン機器１における水抜き作用について説明する。
上述したように、インターホン機器１は、機器本体５を取付枠４に支持させた状態で取付対象面に設置されることになる。このとき、本体ケース５ａ内への水の浸入経路としては、下記の２つの浸入経路が考えられる。
１．取付枠４のフレーム部４ａ〜４ｄと前ケース３の外周面との隙間へ浸入した後、前ケース３の後端縁を回り込むようにして前ケース３内面側へ移動し、前ケース３内周面と後ケース９外周面との隙間から本体ケース５ａ内へと浸入する第１経路。
２．取付枠４と取付対象面との隙間から本体ケース５ａ後方の空間へ浸入した後、後ケース９の張り出し部１２後面と台状部１３前面との隙間を通って前ケース３内周面と後ケース９外周面との隙間へ移動し、本体ケース５ａ内へと浸入する第２経路。
【００２１】
しかしながら、本実施形態のインターホン機器１によれば、第１経路において前ケース３側部とフレーム部４ｂ（又は４ｃ）との隙間から浸入してきた水は、毛細管現象により第１水抜き溝１５内へ引き込まれ、本体ケース５ａ内へ浸入することなく下方へ導かれることになる。また、たとえ第１水抜き溝１５を越えて前ケース３の後端縁を前ケース３内面側（すなわち、前ケース３側部と後ケース９側部との隙間）へ回り込んだとしても、毛細管現象により第２水抜き溝１６内へ引き込まれ、下方へ導かれる。
一方、第２経路をたどって本体ケース５ａ後方空間へと浸入した水も、後ケース９の張り出し部１２後面が台状部１３前面に当接しているため、前ケース３側部と後ケース９側部との隙間への浸入が抑止され、大部分の水は後ケース９の背面や取付対象面等をつたって下方へ導かれることになる。また、たとえ後ケース９の張り出し部１２後面と台状部１３前面との隙間から前ケース３側部と後ケース９側部との隙間へ浸入したとしても、第２水抜き溝１６内へ引き込まれ、本体ケース５ａ内へ浸入することなく下方へ導かれることになる。
尚、第１水抜き溝１５及び第２水抜き溝１６により下方へ導かれた水は、最終的にフレーム部４ｄの上面を経由して切り欠き１７、１７・・から取付枠４外方へと排出されることになる。
【００２２】
以上のようにインターホン機器１によれば、取付枠４内に設けられた台状部１３前面で、且つ、本体ケース５ａを取付枠４に支持させた際、前ケース３側部とフレーム部４ｂ（又は４ｃ）との隙間となる位置に、上下方向へ延びる第１水抜き溝１５を刻設しており、毛細管現象を利用して、前ケース３側部とフレーム部４ｂ（又は４ｃ）との隙間から浸入してきた水を第１水抜き溝１５内へ引き込んで下方へ導き、最終的には取付枠４外方へ排出可能としている。したがって、当該経路による水の本体ケース５ａ内への浸入を効果的に防止することができる。
【００２３】
また、取付枠４内に設けられた台状部１３前面で、且つ、本体ケース５ａを取付枠４に支持させた際、前ケース３側部と後ケース９側部との隙間となる位置に、上下方向へ延びる第２水抜き溝１６を刻設しており、毛細管現象を利用して、第１水抜き溝１５を越えて前ケース３の後端縁を前ケース３内面側へ回り込んできた水、及び第２経路をたどって前ケース３側部と後ケース９側部との隙間へ浸入してきた水を第２水抜き溝１６内へ引き込んで下方へ導き、最終的には取付枠４外方へ排出可能としている。したがって、水の本体ケース５ａ内への浸入防止機能を更に向上することができる。
【００２４】
さらに、後ケース９の左右側部に、それぞれ左右外方へ張り出す張り出し部１２を設け、本体ケース５ａを取付枠４に支持させた際、当該張り出し部１２の後面を台状部１３前面に当接させることで、第２経路をたどって本体ケース５ａ後方空間へ浸入した水の前ケース３側部と後ケース９側部との隙間への浸入を抑止可能としている。したがって、水の本体ケース５ａ内への浸入防止機能の一層の向上を期待することができる。
【００２５】
加えて、特に第２水抜き溝１６を、その左右幅ΔＷが前ケース３側部と後ケース９側部との隙間の間隔ΔＳよりも狭くなるように形成している。したがって、毛細管現象を利用した第２水抜き溝１６内への水の引き込み作用を向上させることができ、より効果的な水抜きを実現することができる。
【００２６】
なお、本発明に係るインターホン機器における水抜き構造は、上記実施形態に記載の態様に何ら限定されるものではなく、機器本体５及び取付枠４に係る構成を、本発明の趣旨を逸脱しない範囲で、必要に応じて適宜変更することができる。
【００２７】
たとえば、上記実施形態においては、取付枠４に第１水抜き溝１５及び第２水抜き溝１６の２つの水抜き溝を設ける構成としているが、水の浸入経路は主に第１経路であることに鑑み、第１水抜き溝１５のみを設けるように構成しても効果的な防水機能を奏することができる。
また、水抜き溝の寸法（左右幅や深さ、上下方向への長さ）等も適宜変更可能であって、第１水抜き溝１５の左右幅を取付枠４のフレーム部４ｂ（又は４ｃ）と前ケース３の側部との隙間の間隔よりも狭く形成することも当然可能である。さらに、上記実施形態では、前ケース３の後端縁及び張り出し部１２の後面を台状部１３前面に当接させる構成としているが、必ずしも厳密に接触させる必要はない（すなわち、近接させる構成であっても良い）。
加えて、上記実施形態では、機器本体５を玄関子機としているが、取付枠４を介して設置され、前ケース３と後ケース９とを組み付けてなる本体ケース５ａを有するものであれば、玄関子機に何ら限定されることはない。
【図面の簡単な説明】
【００２８】
【図１】インターホン機器を示した斜視説明図である。
【図２】インターホン機器の断面（呼出ボタン部分での左右方向への断面）を示した説明図である。
【図３】図２におけるＡ部を拡大して示した説明図である。
【図４】取付枠全体の外観を示した斜視説明図である。
【図５】取付枠の一部分を拡大して示した斜視説明図である。
【符号の説明】
【００２９】
１・・インターホン機器、３・・前ケース、４・・取付枠、４ａ〜４ｄ・・フレーム部、５・・機器本体、５ａ・・本体ケース、９・・後ケース、１２・・張り出し部、１３・・台状部、１５・・第１水抜き溝（第１の水抜き溝）、１６・・第２水抜き溝（第２の水抜き溝）、１７・・切り欠き（水抜き孔）。
【図１】
2009147467.tif 000003
【図２】
2009147467.tif 000004
【図３】
2009147467.tif 000005
【図４】
2009147467.tif 000006
【図５】
2009147467.tif 000007